【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
鋼材を組み合わせた架台に微量ＰＣＢが付着したラジエータを設置して洗浄する微量Ｐ
ＣＢ付着ラジエータの洗浄および運搬架台において、
対向する複数の起立フレームと、その上下をそれぞれ接続する上部横フレーム及び下部
横フレームからなる矩形フレームを複数平行に配置し、前記複数の矩形フレームの上下を
それぞれ連結する上部配管取付用フレーム及び下部長手フレームで構成された枠体と、
前記ラジエータの上部及び下部をそれぞれ支持する上部支持フレーム及び下部支持フレ
ームと、
前記上部支持フレーム及び下部支持フレームをそれぞれ、前記上部横フレーム及び下部
横フレームに取付ける上部火打ち受けピース及び下部火打ち受けピースと、
前記下部長手フレームに取付けられ、前記ラジエータに洗浄液を供給する供給配管と、
前記上部配管取付用フレームに取付けられ、前記ラジエータ内の洗浄液を回収する回収
配管と、
前記供給配管と前記ラジエータの下部を接続する供給用フレキシブル配管と、
前記回収配管と前記ラジエータの上部を接続する回収用フレキシブル配管を備え、
前記上部火打ち受けピース及び下部火打ち受けピースには、それぞれ、前記上部支持フ
レーム及び下部支持フレームの取付位置を調節する取付け用キリ孔が高さ方向に複数設け
られていることを特徴とする微量ＰＣＢ付着ラジエータの洗浄および運搬架台。
【請求項２】
請求項１に記載の微量ＰＣＢ付着ラジエータの洗浄および運搬架台において、
前記上部横フレーム及び下部横フレームには、それぞれ、前記上部火打ち受けピース及
び下部火打ち受けピースの位置を調節する取付け用キリ孔が横方向に複数設けられている
ことを特徴とする微量ＰＣＢ付着ラジエータの洗浄および運搬架台。
【請求項３】
請求項１または２に記載の微量ＰＣＢ付着ラジエータの洗浄および運搬架台において、
前記ラジエータは上部及び下部にそれぞれ洗浄液の回収用接続配管と供給用接続配管を
有し、前記下部支持フレームは前記ラジエータの下部及び前記供給用接続配管の下面を支
持する２本の下部支持フレームで構成されたことを特徴とする微量ＰＣＢ付着ラジエータ
の洗浄および運搬架台。
【請求項４】
請求項３に記載の微量ＰＣＢ付着ラジエータの洗浄および運搬架台において、
前記上部支持フレームは前記ラジエータの上部と前記回収用接続配管の側面を支持する
ことを特徴とする微量ＰＣＢ付着ラジエータの洗浄および運搬架台。
【請求項５】
請求項１または２に記載の微量ＰＣＢ付着ラジエータの洗浄および運搬架台において、
前記ラジエータは上部及び下部にそれぞれ洗浄液の回収用接続配管と供給用接続配管を
有し、前記供給用フレキシブル配管および前記回収用フレキシブル配管は、対応する接続
配管の偏心した位置に接続されたことを特徴とする微量ＰＣＢ付着ラジエータの洗浄およ
び運搬架台。
【請求項６】
請求項５に記載の微量ＰＣＢ付着ラジエータの洗浄および運搬架台において、
前記回収用フレキシブル配管は、前記ラジエータの前記回収用接続配管の上側に偏心し
た位置に接続され、前記供給用フレキシブル配管は、前記ラジエータの前記供給用接続配
管の下側に偏心した位置に接続されたことを特徴とする微量ＰＣＢ付着ラジエータの洗浄
および運搬架台。
【請求項７】
請求項３〜６のいずれか一項に記載の微量ＰＣＢ付着ラジエータの洗浄および運搬架台
において、
前記枠体に前記ラジエータが複数台設置され、前記供給配管および前記回収配管にそれ
ぞれ接続口が複数設けられ、前記ラジエータの前記供給用接続配管と対応する前記供給配管の接続口とを前記供給用フレキシブル配管で接続し、前記ラジエータの前記回収用接続配管と対応する前記回収配管の接続口とを前記回収用フレキシブル配管で接続したことを特徴とする微量ＰＣＢ付着ラジエータの洗浄および運搬架台。
【請求項８】
請求項７に記載の微量ＰＣＢ付着ラジエータの洗浄および運搬架台において
前記ラジエータの前記供給用接続配管および前記回収用接続配管の開口方向と、前記接続口の開口方向が同じ方向となるように前記ラジエータが架台に設置されたことを特徴とする微量ＰＣＢ付着ラジエータの洗浄および運搬架台。
【請求項９】
請求項１〜８のいずれか一項に記載の微量ＰＣＢ付着ラジエータの洗浄および運搬架台
において、
前記枠体を２台背中合わせに連結して連結枠体を構成すると共に、前記上部横フレーム
につり金具を取り付けたことを特徴とする微量ＰＣＢ付着ラジエータの洗浄および運搬架
台。
【請求項１０】
請求項１〜９のいずれか一項に記載の微量ＰＣＢ付着ラジエータの洗浄および運搬架台
において、
前記上部配管取付用フレームの両端に上部起立用金具が取り付けられ、前記下部長手フ
レームの両端に下部起立用金具が取付けられたことを特徴とする微量ＰＣＢ付着ラジエー
タの洗浄および運搬架台。
【請求項１１】
請求項１０に記載の微量ＰＣＢ付着ラジエータの洗浄および運搬架台において、
前記上部起立用金具が取り付けられた前記上部配管取付用フレームと、前記下部起立用金具が取付けられた前記下部長手フレームとは、前記矩形フレームの対角位置に配置されていることを特徴とする微量ＰＣＢ付着ラジエータの洗浄および運搬架台。
【請求項１２】
請求項１記載の微量ＰＣＢ付着ラジエータの洗浄および運搬架台を使用したラジエータの洗浄・運搬方法であって、
前記微量ＰＣＢが付着した前記ラジエータが設置された前記微量ＰＣＢ付着ラジエータの洗浄および運搬架台を搬送用車両に積載し、
前記搬送用車両上で前記微量ＰＣＢが付着した前記ラジエータを洗浄する
ことを特徴とする微量ＰＣＢ付着ラジエータの洗浄・運搬方法。
【請求項１３】
請求項１２に記載の微量ＰＣＢ付着ラジエータの洗浄・運搬方法であって、
前記微量ＰＣＢが付着した前記ラジエータの洗浄により前記ラジエータに付着した前記微量ＰＣＢを処理・除去後、
付着した前記微量ＰＣＢが処理・除去された前記ラジエータが設置された前記微量ＰＣＢ付着ラジエータの洗浄および運搬架台を前記搬送用車両により運搬する
ことを特徴とする微量ＰＣＢ付着ラジエータの洗浄・運搬方法。
【手続補正２】
【補正対象書類名】明細書
【補正対象項目名】発明の名称
【補正方法】変更
【補正の内容】
【発明の名称】微量ＰＣＢ付着ラジエータの洗浄および運搬架台並びに微量ＰＣＢ付着ラジエータの洗浄・運搬方法
【手続補正３】
【補正対象書類名】明細書
【補正対象項目名】００６２
【補正方法】変更
【補正の内容】
【００６２】
図１１は、図１０に示す設置および架台を吊上げて搬送用車両であるトレーラに積載する説明図である。連結架台は、ワイヤ８５１で吊上げられ、搬送用車両８６０の漏れ防止用金属トレイ８６１に設置され、所定のワイヤにより固定される。
【手続補正４】
【補正対象書類名】明細書
【補正対象項目名】００６３
【補正方法】変更
【補正の内容】
【００６３】
図１２は、搬送用車両に積載された架台のラジエータを洗浄装置に接続した状態の説明図である。漏れ防止用金属トレイ８６１に設置された連結架台は、搬送用車両８６０によりＰＣＢ処理装置８６５から伸びるＰＣＢ洗浄液供給ホース８６２と連結される。そして、連結架台の供給配管７０１とＰＣＢ処理装置８６５のＰＣＢ洗浄液供給ホース８６２がカプラーで接続され、一方、回収配管７０３とＰＣＢ処理装置８６５のＰＣＢ洗浄液回収ホース８６３がカプラーで接続される。